(57)【要約】【課題】分配元の回路と分配先の回路とを絶縁分離する分配器を小面積に実現する。【解決手段】分配器は、電気信号の入力を受け付ける第１の回路と、電気信号を出力する複数の第２の回路とを備える。第１の回路は、中間タップが電源に接続された第１のコイルを有する。さらに、第１の回路は、各ドレインが第１のトランスを介して接続され、互いに接続された各ソースがグランドに接続され、かつ各ゲートで電気信号の入力を受け付ける２個の第１のトランジスタを備える。第２の回路は、中間タップがグランドに接続され、第１のコイルとトランス結合した第２のコイルを有する。さらに、第２の回路は、各ドレインと各ゲートとが電源に接続され、各ソースが第２のトランスを介して互いに接続され、かつ各ドレインと電源との間の電気信号を出力する２個の第２のトランジスタを備える。【選択図】図１
2014107647.tif 000002
【特許請求の範囲】
【請求項１】
第１のコイルと、
前記第１のコイルとトランス結合された複数の第２のコイルと、
互いに接続された各ソースがグランドに接続され、前記第１のコイルを介して互いに接続された各ドレインが電源に接続され、かつ各ゲートが信号の分配元に接続された２個の第１のトランジスタを有する第１の回路と、
各ドレインが電源に接続され、各ゲートが電源に接続され、前記第２のコイルを介して接続された各ソースがグランドに接続され、かつ前記各ドレインと電源との間の信号を分配先へ出力する２個の第２のトランジスタを有する複数の第２の回路と、
を備えることを特徴とする分配器。
【請求項２】
前記第１のトランジスタの各ドレインが接続された電源は、
前記第１のコイルの中間タップに接続されている
ことを特徴とする請求項１に記載の分配器。
【請求項３】
前記第２のトランジスタの各ソースが接続されたグランドは、
前記第２のコイルの中間タップに接続されていることを特徴とする
請求項１または２に記載の分配器。
【請求項４】
前記各第２のトランジスタの各ソースが接続されたグランドと、前記第１のトランジスタの各ソースが接続されたグランドとは、
それぞれ別々のグランドであることを特徴とする
請求項１〜３のいずれか一つに記載の分配器。
【請求項５】
前記各第２のトランジスタの各ソースが接続されたグランドは、
それぞれ別々のグランドであることを特徴とする
請求項１〜４のいずれか一つに記載の分配器。
【請求項６】
前記第１のトランジスタの各ドレインが接続された電源と、前記各第２のトランジスタのドレインが接続された電源と、前記各第２のトランジスタのゲートが接続された電源とは、
それぞれ別々の電源である
ことを特徴とする請求項１〜５のいずれか一つに記載の分配器。
【請求項７】
第１のコイルと、
前記第１のコイルとトランス結合された複数の第２のコイルと、
互いに接続された各エミッタがグランドに接続され、前記第１のコイルを介して互いに接続された各コレクタが電源に接続され、かつ各ベースが信号の分配元に接続された２個の第１のトランジスタを有する第１の回路と、
各コレクタが電源に接続され、各ベースが電源に接続され、前記第２のコイルを介して接続された各エミッタがグランドに接続され、かつ前記各コレクタと電源との間の信号を分配先へ出力する２個の第２のトランジスタを有する複数の第２の回路と、
を備えることを特徴とする分配器。
【発明の詳細な説明】
【技術分野】
【０００１】
本発明は信号を分配する技術に関する。
【背景技術】
【０００２】
レーダーや無線通信に用いられる送受信器には、キャリア信号を生成するための発振回路が搭載される。そして、発振回路で生成されるキャリア信号には、低位相雑音特性が求められる。よって、送受信器は、送信回路および受信回路で発生した雑音が配線を介して発振回路に漏れこまないようにするために、発振回路と、送信回路および受信回路とを絶縁分離する構成を有する。
【０００３】
発振回路と送信回路および受信回路とを絶縁分離するために、送受信器では、発振回路と、送信回路および受信回路とを、増幅回路と、アイソレーション・トランスフォーマとを組み合わせたアイソレーション分配器でそれぞれ結合する。以下、アイソレーション・トランスフォーマのことを、トランスともいう。
【０００４】
関連する技術として、アンテナで受信した信号が変圧器を介して低雑音増幅器に入力される技術が知られている。また、送信装置で発生する信号がトランスを介して増幅装置に入力される技術が知られている（例えば、特許文献１および特許文献２参照）。
【先行技術文献】
【特許文献】
【０００５】
【特許文献１】特開２００１−１１９２５１号公報
【特許文献２】特開２０１２−８３３４５号公報
【発明の概要】
【発明が解決しようとする課題】
【０００６】
前述した絶縁分離技術を用いた分配器の一例として、図６に示す分配器６００の構成がある。分配器６００の入力端子６０２ａ、６０２ｂは、発振回路と接続される。分配器６００の出力端子６０３ａ、６０３ｂは、送信回路と接続される。分配器６００の出力端子６０４ａ、６０４ｂは、受信回路と接続される。
【０００７】
分配器６００では、発振回路から、送信回路および受信回路にトランス６０１を介してキャリア信号を伝達するときの損失が大きい。このため、発振回路とトランス６０１との間に、トランス６０１でのキャリア信号の損失を補うための増幅回路６０５ａが必要となる。
【０００８】
また、トランス６０１では、１次コイル６０６ａに流れる電流の大きさが変化することにより、トランス６０１で発生する磁束が変化し、２次コイル６０６ｂ、６０６ｃに誘導電流を発生させる。これにより、トランス６０１は、キャリア信号を１次コイル側から２次コイル側に伝達する。このため、分配器６００では、発振回路から電圧信号として入力されたキャリア信号を電流信号に変換してコイル６０６ａに入力するための電圧・電流変換回路６０７ａを必要とする。
【０００９】
電圧・電流変換回路６０７ａの電源ＶＤ４は、トランス６０１での電流信号の損失を考慮して、１次コイル６０６ａから２次コイル６０６ｂ、６０６ｃに伝達可能な大きさの電流信号を生成するための電圧を供給する電源である。電圧・電流変換回路６０７ｂ、６０７ｃの電源ＶＧ５、ＶＧ６は、それぞれ増幅回路６０５ｂ、６０５ｃのトランジスタの動作点を調整し、出力でキャリア信号と周波数が同じ正弦波を得るためのバイアス電圧を供給する電源である。
【００１０】
以上のように、発振回路と送信回路および受信回路とを絶縁分離するのに、トランス６０１を適用するためには、増幅回路６０５ａと、電圧・電流変換回路６０７ｂ、６０７ｃなどが必要となり、分配器６００の回路規模が大きくなるという問題があった。
【００１１】
上述した問題に鑑み、本明細書で後述する実施形態は、分配元の回路と分配先の回路とを絶縁分離する分配器を小面積に実現することを目的とする。
【課題を解決するための手段】
【００１２】
本明細書で開示する分配器のひとつに、第１のコイルと、第２のコイルと、第１の回路と、複数の第２の回路とを備えた分配器がある。第１のコイルと第２のコイルとは、トランス結合される。第１の回路は、互いに接続された各ソースがグランドに接続され、第１のコイルを介して互いに接続された各ドレインが電源に接続され、かつ各ゲートが信号の分配元に接続された２個の第１のトランジスタを有する。複数の第２の回路は、各ドレインが電源に接続され、各ゲートが電源に接続され、第２のコイルを介して接続された各ソースがグランドに接続され、かつ各ドレインと電源との間の信号を分配先へ出力する２個の第２のトランジスタを有する。
【発明の効果】
【００１３】
本明細書で後述する実施形態は、分配元の回路と分配先の回路とを絶縁分離する分配器を小面積に実現するという効果を奏する。
【図面の簡単な説明】
【００１４】
【図１】実施形態の分配器の一実施例の回路図である。
【図２】実施形態の分配器が有するトランスの一実施例の構成図である。
【図３】実施形態の分配器を適用した一実施例の送受信器である。
【図４】実施形態の分配器を適用した一実施例のＰＬＬ回路である。
【図５】実施形態の分配器を適用した一実施例のロックインアンプである。
【図６】従来の分配器の回路図である。
【発明を実施するための形態】
【００１５】
［実施形態］
実施形態の分配器について説明する。
図１は、実施形態の分配器の一実施例の回路図である。
【００１６】
図１は、分配元から入力された信号を分配先へ分配する分配器１００である。下記の説明において、分配元は、図示しない発振回路とする。また、分配先は、図示しない送信回路、および受信回路とする。分配元から分配器１００に入力される信号は、例えば、電気信号である。
【００１７】
電源ＶＧ１〜ＶＧ３と、電源ＶＤ１〜ＶＤ３とは、それぞれ他の電源と独立した別々の電源である。なお、電源ＶＧ１〜ＶＧ３と、電源ＶＤ１〜ＶＤ３とは、それぞれ分配器１００が有する図示しない共通の電源回路に、各電源を絶縁分離するのに十分な長さのある電源線を介して接続されても良い。また、電源ＶＧ１〜ＶＧ３、電源ＶＤ１〜ＶＤ３には、直流電源を用いることが好ましい。
【００１８】
グランド１（ＧＮＤ１）、グランド２（ＧＮＤ２）、およびグランド３（ＧＮＤ３）は、それぞれ他のグランドと独立した別々のグランドである。なお、グランド１〜３は、それぞれ分配器１００が有する図示しない共通のグランドに、各グランドを絶縁分離するのに十分な長さのある電源線を介して接続されても良い。
【００１９】
分配器１００は、トランス１０１と、第１の回路１１０と、２つの第２の回路１３０、１５０とを有する。
トランス１０１は、１次コイル１１１（第１のコイル）と、２次コイル１３１、１５１（第２のコイル）と、電源ＶＤ１と、グランド２、３とを有する。
【００２０】
１次コイル１１１は、例えば、銅線等の電線を巻き回した螺旋、または平型のコイルである。そして、１次コイル１１１は、２次コイル１３１、１５１とトランス結合される。また、１次コイル１１１の中央にある中間タップは、電源ＶＤ１に接続される。
【００２１】
２次コイル１３１は、例えば、銅線等の電線を巻き回した螺旋、または平型のコイルである。そして、２次コイル１３１は、１次コイル１１１とトランス結合される。また、２次コイル１３１の中央にある中間タップは、グランド２に接続される。
【００２２】
２次コイル１５１は、例えば、銅線等の電線を巻き回した螺旋、または平型のコイルである。そして、２次コイル１５１は、１次コイル１１１とトランス結合される。また、２次コイル１５１の中央にある中間タップは、グランド３に接続される。
【００２３】
第１の回路１１０は、例えば、発振回路からキャリア信号の入力を受け付ける入力回路である。そして、第１の回路１１０は、トランジスタ１１２ａ、１１２ｂ（第１のトランジスタ）と、入力端子１１３ａ、１１３ｂと、コンデンサ１１４ａ、１１４ｂと、コイル１１５ａ、コイル１１５ｂと、電源ＶＧ１と、グランド１とを有する。
【００２４】
トランジスタ１１２ａ、１１２ｂは、例えば、電界効果型トランジスタである。そして、トランジスタ１１２ａのソースと、トランジスタ１１２ｂのソースとは、互いにグランド１に接続される。また、トランジスタ１１２ａのドレインと、トランジスタ１１２ｂのドレインとは、１次コイル１１１を介して接続される。さらに、トランジスタ１１２ａのゲートと、トランジスタ１１２ｂのゲートとは、それぞれコンデンサ１１４ａと、コンデンサ１１４ｂとを介して入力端子１１３ａと、１１３ｂとに接続される。
【００２５】
入力端子１１３ａ、１１３ｂは、それぞれ発振回路と接続され、位相が反転したキャリア信号が入力される。
【００２６】
コイル１１５ａは、トランジスタ１１２ａのゲートとコンデンサ１１４ａとの間と、電源ＶＧ１との間に接続される。コイル１１５ｂは、トランジスタ１１２ｂのゲートとコンデンサ１１４ｂとの間と、電源ＶＧ１との間に接続される。これにより、コンデンサ１１４ａ、１１４ｂと、コイル１１５ａ、１１５ｂとは、発振回路の出力と整合を取るための整合回路１２０を構成している。
【００２７】
電源ＶＧ１は、発振回路から電圧信号で入力されるキャリア信号により、トランジスタ１１２ａ、１１２ｂを交互にスイッチング動作させるために適宜設定したバイアス電圧を、トランジスタ１１２ａ、１１２ｂのゲートに印加する。このとき、電源ＶＧ１の電圧は、例えば、オン状態とオフ状態とを周期的に切替える動作点を、トランジスタ１１２ａ、１１２ｂに設定する電圧値にすると良い。
【００２８】
第２の回路１３０は、第２の回路１５０と同一構成であり、分配されたキャリア信号を送信回路へ出力する出力回路である。そして、第２の回路１３０は、トランジスタ１３２ａ、１３２ｂ（第２のトランジスタ）と、出力端子１３３ａ、１３３ｂと、コンデンサ１３４ａ、１３４ｂと、コイル１３５ａ、コイル１３５ｂと、電源ＶＧ２と、電源ＶＤ２とを有する。
【００２９】
トランジスタ１３２ａ、１３２ｂは、例えば、電界効果型トランジスタである。そして、トランジスタ１３２ａのソースと、トランジスタ１３２ｂのソースとは、トランス１０１の２次コイル１３１を介して接続される。また、トランジスタ１３２ａのドレインと、トランジスタ１３２ｂのドレインは、それぞれコイル１３５ａとコイル１３５ｂとを介して電源ＶＤ２に接続される。さらに、トランジスタ１３２ａのゲートと、トランジスタ１３２ｂのゲートとは、それぞれ電源ＶＧ２に接続される。
【００３０】
出力端子１３３ａ、１３３ｂは、それぞれ送信回路に接続され、位相が反転したキャリア信号を出力する。
【００３１】
コンデンサ１３４ａは、トランジスタ１３２ａのドレインとコイル１３５ａとの間と、出力端子１３３ａとの間に接続される。コンデンサ１３４ｂは、トランジスタ１３２ｂのドレインとコイル１３５ｂとの間と、出力端子１３３ｂとの間に接続される。これにより、コンデンサ１３４ａ、１３４ｂと、コイル１３５ａ、１３５ｂとは、送信回路の入力側と整合を取るための整合回路１４０を構成している。
【００３２】
電源ＶＧ２は、第１の回路１１０から伝達されるキャリア信号によって、ソース接地回路を形成するトランジスタ１３２ａ、１３２ｂをスイッチング動作させるために適宜設定したバイアス電圧を、トランジスタ１３２ａ、１３２ｂのゲートに印加する。このとき、電源ＶＧ２の電圧は、例えば、オン状態とオフ状態とを周期的に切替える動作点を、トランジスタ１３２ａ、１３２ｂに設定する電圧値にすると良い。
【００３３】
第２の回路１５０は、第２の回路１５０は、第２の回路１３０と同一構成であり、分配されたキャリア信号を受信回路へ出力する出力回路である。そして、第２の回路１５０は、トランジスタ１５２ａ、１５２ｂと、出力端子１５３ａ、１５３ｂと、コンデンサ１５４ａ、１５４ｂと、コイル１５５ａ、コイル１５５ｂと、電源ＶＧ３と、電源ＶＤ３とを有する。
【００３４】
トランジスタ１５２ａ、１５２ｂは、例えば、電界効果型トランジスタである。そして、トランジスタ１５２ａのソースと、トランジスタ１５２ｂのソースとは、トランス１０１の２次コイル１５１を介して接続される。また、トランジスタ１５２ａのドレインと、トランジスタ１５２ｂのドレインとは、それぞれコイル１５５ａとコイル１５５ｂとを介して電源ＶＤ３に接続される。さらに、トランジスタ１５２ａのゲートと、トランジスタ１５２ｂのゲートとは、それぞれ電源ＶＧ３に接続される。
【００３５】
出力端子１５３ａ、１５３ｂは、それぞれ送信回路に接続され、位相が反転したキャリア信号を出力する。
【００３６】
コンデンサ１５４ａは、トランジスタ１５２ａのドレインとコイル１５５ａとの間と、出力端子１５３ａとの間に接続される。コンデンサ１５４ｂは、トランジスタ１５２ｂのドレインとコイル１５５ｂとの間と、出力端子１５３ｂとの間に接続される。これにより、コンデンサ１５４ａ、１５４ｂと、コイル１５５ａ、１５５ｂとは、受信回路の入力側と整合を取るための整合回路１６０を構成している。
【００３７】
電源ＶＧ３は、第１の回路１１０から伝達されるキャリア信号によって、ソース接地回路を形成するトランジスタ１５２ａ、１５２ｂをスイッチング動作させるために適宜設定したバイアス電圧を、トランジスタ１５２ａ、１５２ｂのゲートに印加する。このとき、電源ＶＧ３の電圧は、例えば、オン状態とオフ状態とを周期的に切替える動作点を、トランジスタ１５２ａ、１５２ｂに設定する電圧値にすると良い。
【００３８】
また、実施形態の分配器１００は、差動構成をとることにより、キャリア信号の高出力化を図ることができる。
【００３９】
図１では、第２の回路が２個となっているが、同一構成の３個以上の第２の回路を第１の回路とトランス結合させても良い。このとき、３個目以降の第２の回路においても、２つのゲート接地トランジスタのソースは、中間タップにグランドが接続され、かつ１次コイル１１１とトランス結合された２次コイルを介して互いに接続される。
【００４０】
なお、図１のトランジスタ１１２ａ、１１２ｂ、１３２ａ、１３２ｂ、１５２ａ、１５２ｂは、バイポーラトランジスタに置き換えても良い。この場合の分配器１００の構成は、図１において、ゲート、ソース、およびドレインを、ベース、エミッタ、およびコレクタと読み替えた構成となる。
【００４１】
電源ＶＤ１は、１次コイル１１１の中間タップではなく、トランジスタ１１２ａのドレインと、トランジスタ１１２ｂのドレインとの間の任意の位置に接続されても良い。また、１次コイル１１１の中間タップは、１次コイル１１１上で１次コイル１１１の中央以外の任意の箇所に形成され、電源ＶＤ１と接続されても良い。この場合には、第１の回路１１０、または第２の回路１３０、１５０に増幅回路やバイアス回路を適宜実装し、任意の出力波形が出力端子１３３ａ、１３３ｂ、１５３ａ、１５３ｂから得られるように設定しても良い。
【００４２】
グランド２は、２次コイル１３１の中間タップではなく、トランジスタ１３２ａのソースと、トランジスタ１３２ｂのソースとの間の任意の位置に接続されても良い。また、２次コイル１３１の中間タップは、２次コイル１３１上で２次コイル１３１の中央以外の任意の箇所に形成され、グランド２と接続されても良い。この場合には、第１の回路１１０、または第２の回路１３０、１５０に増幅回路やバイアス回路を適宜実装し、任意の出力波形が出力端子１３３ａ、１３３ｂ、１５３ａ、１５３ｂから得られるように設定しても良い。
【００４３】
グランド３は、２次コイル１５１の中間タップではなく、トランジスタ１５２ａのソースと、トランジスタ１５２ｂのソースとの間の任意の位置に接続されても良い。また、２次コイル１５１の中間タップは、２次コイル１５１上で２次コイル１５１の中央以外の任意の箇所に形成され、グランド３と接続されても良い。この場合には、第１の回路１１０、または第２の回路１３０、１５０に増幅回路やバイアス回路を適宜実装し、任意の出力波形が出力端子１３３ａ、１３３ｂ、１５３ａ、１５３ｂから得られるように設定しても良い。
【００４４】
図２は、実施形態の分配器が有するトランスの一実施例の構成図である。
図２は図１で説明したトランス１０１の構成図を示している。そして、図２では、図１で説明した構成要素に対応する箇所に同じ符号を付している。
【００４５】
１次コイル１１１、２次コイル１３１、１５１は、それぞれ平型コイルの形状をしている。
そして、１次コイル１１１の中間タップ２０１は、電源ＶＤ１に接続されている。
【００４６】
２次コイル１３１の中間タップ２０２は、グランド２に接続されている。
２次コイル１５１の中間タップ２０３は、グランド３に接続されている。
また、グランド１〜３は、それぞれ別々に形成され、絶縁分離されている。
【００４７】
なお、図２にはＶＤ１のみ図示するが、電源ＶＤ１〜ＶＤ３、電源ＶＤ１〜ＶＤ３は、それぞれ別々に形成され、絶縁分離されている。
【００４８】
図３は、実施形態の分配器を適用した一実施例の送受信器である。
図３は、分配器１００を送受信器に適用した例を示す。
【００４９】
分配器１００は、キャリア信号の分配元である発振回路３０１と、キャリア信号の分配先である送信回路３０２、および受信回路３０３との間に接続される。
【００５０】
これにより、分配器１００は、発振回路３０１から送信回路３０２、および受信回路３０３にキャリア信号を分配する。さらに、分配器１００は、発振回路３０１と、送信回路３０２と、受信回路３０３とを絶縁分離する。
【００５１】
図４は、実施形態の分配器を適用した一実施例のＰＬＬ回路である。
図４は、分配器１００をＰＬＬ回路（Ｐｈａｓｅ  Ｌｏｃｋｅｄ  Ｌｏｏｐ）に適用した例を示す。
【００５２】
分配器１００は、出力信号の分配元である電圧制御発振器４０４と、出力信号の分配先である分周回路４０５、および出力端子４０６との間に接続される。
【００５３】
これにより、分配器１００は、電圧制御発振器４０４から分周回路４０５、および出力端子４０６に出力信号を分配する。さらに、分配器１００は、電圧制御発振器４０４と、分周回路４０５と、出力端子４０６に接続される機器とを絶縁分離する。
【００５４】
図５は、実施形態の分配器を適用した一実施例のロックインアンプである。
図５は、２つの微小信号１、２を測定するために、２系統のロックインアンプに参照信号を分配する構成に分配器１００を適用した例を示す。
【００５５】
分配器１００は、参照信号の分配元である発振回路５０１と、参照信号の分配先であるロックインアンプ５０２、およびロックインアンプ５０３との間に接続される。
【００５６】
これにより、分配器１００は、発振回路５０１からロックインアンプ５０２、およびロックインアンプ５０３に参照信号を分配する。さらに、分配器１００は、発振回路５０１と、ロックインアンプ５０２と、ロックインアンプ５０３とを絶縁分離する。
【００５７】
以上のような分配器１００では、トランス１０１の１次コイル１１１側に電源ＶＤ１を接続し、トランジスタ１１２ａ、１１２ｂをスイッチング動作することで、分配元から入力された信号を増幅するようにした。これにより、分配器１００は、分配器６００と異なり、トランス１０１での信号の損失を補うための増幅回路を別に備える必要がないので、回路面積を小面積化することができる。
【００５８】
さらに、分配器１００では、トランス１０１の１次コイル１１１側に電源ＶＤ１を接続し、トランジスタ１１２ａ、１１２ｂをスイッチング動作することで、分配元から入力された電圧信号を電流信号に変換する。また、第２の回路１３０、１５０をゲート接地回路としたので、電源ＶＧ２、ＶＧ３の電圧値を変更することによりトランジスタ１３２ａ、１３２ｂ、１５２ａ、１５２ｂのバイアス電圧を調整する。これにより、分配器１００は、トランス１０１の損失を補い、かつ第２の回路１３０、１５０のそれぞれのトランジスタ１３２ａ、１３２ｂ、１５２ａ、１５２ｂの動作点を調整し、キャリア信号を分配することができる。したがって、分配器１００は、分配元から入力された電圧信号を、トランス１０１を介して１次コイル１１１から２次コイル１３１、１５１に伝達可能な大きさの電流信号に変換するための電圧・電流変換回路が不要である。また、分配器１００は、第２の回路１３０、１５０のトランジスタ１３２ａ、１３２ｂ、１５２ａ、１５２ｂにバイアス電圧を与え、トランス１０１を介して入力された電流信号を、電圧信号として利用するための電圧・電流変換回路が不要である。これにより、分配器１００は、分配器６００と異なり、電流・電圧変換回路を別に備える必要がないので、回路面積を小面積化することができる。
【００５９】
また、分配器１００では、電源ＶＤ１、グランド２、およびグランド３を、それぞれ１次コイル１１１の中央の中間タップ、２次コイル１３１、１５１の中間タップに接続した。これにより、分配器１００では、２次コイル１３１、１５１の信号の波形がグランドの電位を基準として現れる。したがって、分配器１００では、電源ＶＤ２、ＶＤ３を適宜変更して出力レベルを調整し、かつ電源ＶＧ２、ＶＧ３を適宜変更し、トランジスタ１３２ａ、１３２ｂ、１５２ａ、１５２ｂの動作点を調整すると、任意の出力波形が得られる。よって、分配器１００は、バイアス回路を特に備える必要がないので、回路面積を小面積化することができる。
【００６０】
分配器１００の第１の回路１１０と第２の回路１３０、１５０とは、それぞれトランス１０１を介して、ソース接地回路とゲート接地回路が接続されたカスコード型増幅回路を形成している。したがって、分配器１００では、ミラー効果を軽減することができるので、良好な高周波特性を得ることができる。
【００６１】
以上記載した各実施例を含む実施形態に関し、さらに以下の付記を開示する。なお、本発明は、以下の付記に限定されるものではない。
（付記１）
第１のコイルと、
前記第１のコイルとトランス結合された複数の第２のコイルと、
互いに接続された各ソースがグランドに接続され、前記第１のコイルを介して互いに接続された各ドレインが電源に接続され、かつ各ゲートが信号の分配元に接続された２個の第１のトランジスタを有する第１の回路と、
各ドレインが電源に接続され、各ゲートが電源に接続され、前記第２のコイルを介して接続された各ソースがグランドに接続され、かつ前記各ドレインと電源との間の信号を分配先へ出力する２個の第２のトランジスタを有する複数の第２の回路と、
を備えることを特徴とする分配器。
（付記２）
前記第１のトランジスタの各ドレインが接続された電源は、
前記第１のコイルの中間タップに接続されている
ことを特徴とする付記１に記載の分配器。
（付記３）
前記第２のトランジスタの各ソースが接続されたグランドは、
前記第２のコイルの中間タップに接続されている
ことを特徴とする付記１または２に記載の分配器。
（付記４）
前記各第２のトランジスタの各ソースが接続されたグランドと、前記第１のトランジスタの各ソースが接続されたグランドとは、
それぞれ別々のグランドであることを特徴とする
付記１〜３のいずれか一つに記載の分配器。
（付記５）
前記各第２のトランジスタの各ソースが接続されたグランドは、
それぞれ別々のグランドであることを特徴とする
付記１〜４のいずれか一つに記載の分配器。
（付記６）
前記第１のトランジスタの各ドレインが接続された電源と、前記各第２のトランジスタのドレインが接続された電源と、前記各第２のトランジスタのゲートが接続された電源とは、
それぞれ別々の電源である
ことを特徴とする付記１〜５のいずれか一つに記載の分配器。
（付記７）
第１のコイルと、
前記第１のコイルとトランス結合された複数の第２のコイルと、
互いに接続された各エミッタがグランドに接続され、前記第１のコイルを介して互いに接続された各コレクタが電源に接続され、かつ各ベースが信号の分配元に接続された２個の第１のトランジスタを有する第１の回路と、
各コレクタが電源に接続され、各ベースが電源に接続され、前記第２のコイルを介して接続された各エミッタがグランドに接続され、かつ前記各コレクタと電源との間の信号を分配先へ出力する２個の第２のトランジスタを有する複数の第２の回路と、
を備えることを特徴とする分配器。
（付記８）
前記第１のトランジスタの各コレクタが接続された電源は、
前記第１のコイルの中間タップに接続されている
ことを特徴とする付記７に記載の分配器。
（付記９）
前記第２のトランジスタの各エミッタが接続されたグランドは、
前記第２のコイルの中間タップに接続されていることを特徴とする
付記７または８に記載の分配器。
（付記１０）
前記各第２のトランジスタの各エミッタが接続されたグランドと、前記第１のトランジスタの各エミッタが接続されたグランドとは、
それぞれ別々のグランドであることを特徴とする
付記７〜９のいずれか一つに記載の分配器。
（付記１１）
前記各第２のトランジスタの各エミッタが接続されたグランドは、
それぞれ別々のグランドであることを特徴とする
付記７〜１０のいずれか一つに記載の分配器。
（付記１２）
前記第１のトランジスタの各コレクタが接続された電源と、前記各第２のトランジスタのコレクタが接続された電源と、前記各第２のトランジスタのベースが接続された電源とは、
それぞれ別々の電源である
ことを特徴とする付記７〜１１のいずれか一つに記載の分配器。
【符号の説明】
【００６２】
１００  分配器
１０１  トランス
１１０  第１の回路
１１１  １次コイル
１１２ａ、１１２ｂ  トランジスタ
１１３ａ、１１３ｂ  入力端子
１１４ａ、１１４ｂ  コンデンサ
１１５ａ、１１５ｂ  コイル
１３０、１５０  第２の回路
１３１、１５１  ２次コイル
１３２ａ、１３２ｂ、１５２ａ、１５２ｂ  トランジスタ
１３３ａ、１３３ｂ、１５３ａ、１５３ｂ  出力端子
１３４ａ、１３４ｂ、１５４ａ、１５４ｂ  コンデンサ
１３５ａ、１３５ｂ、１５５ａ、１５５ｂ  コイル
２０１〜２０３  中間タップ
３０１  発振回路
３０２送信回路
３０３  受信回路
４０４  電圧制御発振器
４０５  分周回路
４０６  出力端子
５０１  発振回路
５０２、５０３  ロックインアンプ
６００  分配器
６０１  トランス
６０２ａ、６０２ｂ  入力端子
６０３ａ、６０３ｂ  出力端子
６０４ａ、６０４ｂ  出力端子
６０５ａ〜６０５ｃ  増幅回路
６０６ａ  コイル
６０６ａ  １次コイル
６０６ｂ、６０６ｃ  ２次コイル
６０７ａ〜６０７ｃ  電圧・電流変換回路
【図１】
2014107647.tif 000003
【図２】
2014107647.tif 000004
【図３】
2014107647.tif 000005
【図４】
2014107647.tif 000006
【図５】
2014107647.tif 000007
【図６】
2014107647.tif 000008